(57)【特許請求の範囲】
【請求項１】
光学ハウジングと、この光学ハウジングに設けたガイド軸と、このガイド軸に移動自在に設けた光ピックアップと、この光ピックアップに搭載した発光素子と、この発光素子を外面側に取付けたコの字形状の放熱板とを備え、コの字形状の３片で前記ガイド軸を取り囲むように前記放熱板を位置決め配置した光学デッキ装置。
【請求項２】
放熱板の対向する２片の開放側の先端間距離を基端間距離より大きくした請求項１記載の光学デッキ装置。
【請求項３】
ガイド軸を熱伝導性の良い材料で形成した請求項１記載の光学デッキ装置。
【請求項４】
発光素子を受光素子とともにレーザーディテクタユニット内に装着した請求項１記載の光学デッキ装置。
【発明の詳細な説明】
【０００１】
【産業上の利用分野】
この発明は、円盤状記録媒体に光学的に情報を記録再生する光学デッキ装置に関するものである。
【０００２】
【従来の技術】
近年、光ディスク装置の小型化、低コスト化に伴い、光ピックアップの光学部品の集積化や、小型化が進み、発光素子と受光素子とが一体となったレーザーディテクタユニットが用いられるようになってきた。
以下図面を参照しながら、上述した従来の光ディスク装置の一例について説明する。
【０００３】
図３は従来の光学デッキ装置の構成図を示すものであり、図４は従来の光学デッキ装置の要部断面図を示すものである。
図３において、２１は光学ハウジングであり、この光学ハウジング２１には光ピックアップ２２をディスク３４（図４）のトラッキングを横切る方向へガイドするガイド軸２３が精度良く取付けられている。光ピックアップ２２には発光素子と受光素子が同一パッケージ内に装着されたレーザーディテクタユニット２４（以下ＬＤユニットと略す）が搭載されている。このＬＤユニット２４に後述の放熱板２５が固定されている。また、光ピックアップ２２にはガイド軸２３と平行に駆動軸２６が取付けられており、この駆動軸２６の一端には駆動ギヤ２７が軸方向に圧入固定されている。また、光学ハウジング２１には軸方向と平行に駆動モータ２８が固定されており、この駆動モータ２８の出力軸にはモータギヤ２９が圧入固定されている。また、モータギヤ２９および駆動ギヤ２７と噛み合うように中間ギヤ３０が回転自在に取付けられており、駆動モータ２８が回転すると、駆動軸２６が回転できるように構成されている。そして、駆動軸２６が回転すると、光ピックアップ２２に取付けられた送りナット３１によって、光ピックアップ２２がディスクに平行にトラッキングを横切る方向へ移動できるようになっている。
【０００４】
放熱板２５は、図４に示すように、コの字形状で、ＬＤユニット２４の背面に固定されている。この場合、放熱板２５の近くにガイド軸２３を設けることにより、放熱板２５からの熱をガイド軸２３に伝達しやすくし、ＬＤユニット２４の放熱効果を高めている。また、ＬＤユニット２４から出射された光は光学素子３２によりディスク３４と垂直光になるように折り曲げられ、アクチュエータ内の対物レンズ３３に入射され、この対物レンズ３３にてディスク３４に集束される構造をとる。また、対物レンズ３３はアクチュエータ内の磁界中に電流を流すことにより、２次元方向に移動可能となっている。
【０００５】
【発明が解決しようとする課題】
しかしながら、上記のような従来の光学デッキ装置では、ＬＤユニット２４の放熱効果を高めるために、放熱板２５を大きくする必要があった。そのため、光学デッキ装置の投影面積が大きくなり、装置が大型化するという問題点を有していた。
【０００６】
したがって、この発明の目的は、放熱効果を高め、装置の小型化を図ることがきる光学デッキ装置を提供することである。
【０００７】
【課題を解決するための手段】
請求項１の光学デッキ装置は、光学ハウジングと、この光学ハウジングに設けたガイド軸と、このガイド軸に移動自在に設けた光ピックアップと、この光ピックアップに搭載した発光素子と、この発光素子を外面側に取付けたコの字形状の放熱板とを備え、コの字形状の３片でガイド軸を取り囲むように放熱板を位置決め配置したものである。
【０００８】
請求項２の光学デッキ装置は、請求項１において、放熱板の対向する２片の開放側の先端間距離を基端間距離より大きくしたものである。
請求項３の光学デッキ装置は、請求項１において、ガイド軸を熱伝導性の良い材料で形成したものである。
請求項４の光学デッキ装置は、請求項１において、発光素子を受光素子とともにレーザーディテクタユニット内に装着したものである。
【０００９】
【作用】
この発明の構成によれば、コの字形状の３片でガイド軸を取り囲むように放熱板を位置決め配置したので、放熱板からガイド軸への熱の伝達効果が促進され、発光素子の放熱効果を高めることができ、品質を安定化させることができる。また、ガイド軸を内側に寄せることができるので、装置の小型化を図ることができる。
【００１０】
請求項２では、放熱板の対向する２片の開放側の先端間距離を基端間距離より大きくしたので、ガイド軸の径が大きくてもガイド軸を放熱板で取り囲むことができる。
請求項３では、ガイド軸を熱伝導性の良い材料で形成したので、さらに放熱効果を向上させることができる。
【００１１】
請求項４では、発光素子を受光素子とともにレーザーディテクタユニット内に装着したので、さらに装置の小型化を図ることができる。また、レーザーディテクタユニットの放熱効果を高めることができる。
【００１２】
【実施例】
この発明の一実施例の光学デッキ装置を図１および図２に基づいて説明する。図１はこの発明の光学デッキ装置の構成図を示すものであり、図２はこの発明の光学デッキ装置の要部断面図を示すものである。図１に示すように、この光学デッキ装置は、光学ハウジング１と光ピックアップ２とを備えている。
【００１３】
光学ハウジング１には、光ピックアップ２をディスク１２（図２）のトラッキングを横切る方向へガイドするガイド軸３が精度良く取付けられている。ガイド軸３は、熱伝導性の良い材料、例えば銅材で形成される。また、ガイド軸３の軸方向と平行に駆動モータ７が固定されており、この駆動モータ７の出力軸は駆動軸８となっている。また、ガイド軸３と平行に主軸６が取付けられている。この光学ハウジング１は取付部１５により光学デッキ装置のケースの所定位置に取付けられる（図示せず）。
【００１４】
光ピックアップ２は、ガイド軸３に移動自在に設けられ、発光素子と受光素子が同一パッケージ内に装着されたレーザーディテクタユニット４（以下ＬＤユニットと略す）が搭載されている。このＬＤユニット４の背面に放熱板５が固定されている。すなわち、放熱板５は、図２に示すように、コの字形状で、その外面側にＬＤユニット４を取付けた状態になっている。また、放熱板５の対向する２片の開放側の先端間距離を基端間距離より大きくし、コの字形状の３片でガイド軸３を取り囲むように構成している。これに伴い、ガイド軸３と放熱板５は極めて近接した状態となる。
【００１５】
この光ピックアップ２はディスク１２のトラッキングを横切る方向へ移動し、ＬＤユニット４によりディスク１２に光学的に情報を記録再生する。すわなち、光ピックアップ２には送りナット９が取付けられ、この送りナット９が駆動軸８に螺合している。そして、駆動モータ７が回転すると、送りナット９が駆動軸８に沿って進退し、光ピックアップ２がディスク１２に平行にトラッキングを横切る方向へ移動できるようになっている。
【００１６】
また、図２に示すように、ディスク１２の記録再生に関しては、ＬＤユニット４から出射された光が光学素子１０によりディスク１２と垂直な光になるように折曲げられ、アクチュエータ内の対物レンズ１１に入射され、対物レンズ１１にてディスク１２に集束される構造をとる。また、対物レンズ１１はアクチュエータ内の磁界中に電流を流すことにより、２次元方向に移動可能となっている。
【００１７】
以上のように構成された光学デッキ装置によれば、コの字形状の３片でガイド軸３を取り囲むように放熱板５を位置決め配置したので、放熱板５からガイド軸３への熱の伝達効果が促進され、ＬＤユニット４の放熱効果を高めることができ、品質を安定化させることができる。また、ガイド軸３を内側に寄せることができるので、装置の小型化を図ることができる。
【００１８】
また、放熱板５の対向する２片の開放側の先端間距離を基端間距離より大きくしたので、ガイド軸３の径が大きくてもガイド軸３を放熱板５で取り囲むことができる。また、ガイド軸３を熱伝導性の良い材料で形成したので、さらに放熱効果を向上させることができる。また、発光素子を受光素子とともにＬＤユニット４内に装着したので、装置の小型化を図ることができる。
【００１９】
なお、ＬＤユニット４を用いずに、発光素子に放熱板５を取付けた構造にしてもよい。また、放熱板５はコの字形状の３片でガイド軸３を取り囲む構造であればよく、先端部が拡開していなくてもよい。
【００２０】
【発明の効果】
この発明の光学デッキ装置によれば、コの字形状の３片でガイド軸を取り囲むように放熱板を位置決め配置したので、放熱板からガイド軸への熱の伝達効果が促進され、発光素子の放熱効果を高めることができ、品質を安定化させることができる。また、ガイド軸を内側に寄せることができるので、装置の小型化を図ることができる。
【００２１】
請求項２では、放熱板の対向する２片の開放側の先端間距離を基端間距離より大きくしたので、ガイド軸の径が大きくてもガイド軸を放熱板で取り囲むことができる。
請求項３では、ガイド軸を熱伝導性の良い材料で形成したので、さらに放熱効果を向上させることができる。
【００２２】
請求項４では、発光素子を受光素子とともにレーザーディテクタユニット内に装着したので、さらに装置の小型化を図ることができる。また、レーザーディテクタユニットの放熱効果を高めることができる。
【図面の簡単な説明】
【図１】この発明の一実施例の光学デッキ装置の平面図である。
【図２】この発明の一実施例の光学デッキ装置の要部断面図である。
【図３】従来例の平面図である。
【図４】従来例の要部断面図である。
【符号の説明】
１      光学ハウジング
２      光ピックアップ
３      ガイド軸
４      ＬＤユニット
５      放熱板
６      主軸
７      駆動モータ
８      駆動軸
９      送りナット
１０      光学素子
１１      対物レンズ
１２      ディスク
【図１】
0003557283.tif 000002
【図２】
0003557283.tif 000003
【図３】
0003557283.tif 000004
【図４】
0003557283.tif 000005